(57)【要約】  液晶表示素子（３０）を制御する第１制御回路（６０）、及び、光源ユニット（４０）を制御する第２制御回路（６４）のうちの少なくとも一方の回路が、液晶表示素子（３０）の前面（３２）を含む平面と、光源ユニット（４０）の底面（４４）を含む平面とによって画される領域（Ｒ１）内に設けられている。
2010001657.tif 000002
【特許請求の範囲】
【請求項１】
液晶表示パネルが設けられている液晶表示素子と、
光源が設けられ、前記液晶表示素子の背後に配置されることにより前記液晶表示パネルを背面から照射する光源ユニットとが備えられた液晶表示装置であって、
前記液晶表示素子を制御する回路、及び、前記光源ユニットを制御する回路のうちの少なくとも一方の回路が、前記液晶表示素子の前面を含む平面と、前記光源ユニットの底面を含む平面とによって画される領域内に設けられていることを特徴とする液晶表示装置。
【請求項２】
前記光源ユニットには、直管部分を有する光源が備えられており、
前記液晶表示パネルの画面は、長方形状を有しており、
前記光源は、その直管部分の主たる方向が、前記画面の１辺である基準辺の伸長方向と揃うように設けられており、
前記画面の、前記基準辺の伸長方向と交差する方向である交差方向における幅をＤ１とし、
前記交差方向と前記光源の直管部分とが交わる数をＮとした場合、
Ｄ１／Ｎが１２０以上であることを特徴とする請求項１に記載の液晶表示装置。
【請求項３】
前記基準辺が、前記画面の横辺であり、
前記交差方向における幅が、画面の縦方向長であることを特徴とする請求項２に記載の液晶表示装置。
【請求項４】
前記液晶表示パネルの画面は、長方形状を有しており、
前記光源ユニットには、直管部分を有する光源と、該光源が設けられる光源ケースとが備えられており、
前記光源は、前記光源ケースの底部に設けられており、
前記底部は、前記光源の直管部分の主たる方向に沿って、長方形状に、かつ平面状に形成されており、
前記底部の、前記直管部分の主たる方向と直交する方向における幅をＬとし、
前記画面の、前記直管部分の主たる方向と直交する方向における幅をＤ２とした場合、
Ｄ２／Ｌが２．５以上、５．５以下であることを特徴とする請求項１から３のいずれか１項に記載の液晶表示装置。
【請求項５】
前記液晶表示素子を制御する回路、及び、前記光源ユニットを制御する回路のうちの少なくとも一方の回路の主たる部分が、
液晶表示素子の前記前面を鉛直方向と平行にした場合において、前記液晶表示素子の上端と、前記液晶表示素子の下端との間の領域内に設けられていることを特徴とする請求項１から４のいずれか１項に記載の液晶表示装置。
【請求項６】
液晶表示素子の前記前面を鉛直方向と平行にした場合において、前記液晶表示素子の下側には、前記液晶表示素子を支えるスタンドが設けられており、
前記液晶表示素子を制御する回路、及び、前記光源ユニットを制御する回路のうちの少なくとも一方の回路の主たる部分が、
前記液晶表示素子の上端と、前記スタンドの下端との間の領域内に設けられていることを特徴とする請求項１から４のいずれか１項に記載の液晶表示装置。
【請求項７】
前記液晶表示素子を制御する回路、及び、前記光源ユニットを制御する回路のうちの少なくとも一方の回路の主たる部分が、前記スタンドに設けられていることを特徴とする請求項６に記載の液晶表示装置。
【請求項８】
前記液晶表示素子を制御する回路、及び、前記光源ユニットを制御する回路のうちの少なくとも一方の回路が、
液晶表示素子の前記前面を鉛直方向と平行にした場合において、前記光源ユニットの下側領域に設けられていることを特徴とする請求項１から４のいずれか１項に記載の液晶表示装置。
【請求項９】
前記光源ユニットの下側領域に設けられている前記回路は、
前記光源ユニットに備えられている光源ケースに接するように設けられていることを特徴とする請求項８に記載の液晶表示装置。
【請求項１０】
前記液晶表示素子を制御する回路が、タイミングコントローラーであることを特徴とする請求項１から９のいずれか１項に記載の液晶表示装置。
【請求項１１】
前記光源ユニットを制御する回路が、インバーター基板であることを特徴とする請求項１から１０のいずれか１項に記載の液晶表示装置。
【請求項１２】
前記光源ユニットの下側領域に設けられている前記回路は、タイミングコントローラーであることを特徴とする請求項８又は９に記載の液晶表示装置。
【請求項１３】
前記光源が、熱陰極管であることを特徴とする請求項１から１２のいずれか１項に記載の液晶表示装置。
【請求項１４】
請求項１から１３のいずれか１項に記載の液晶表示装置と、
前記液晶表示素子を制御する回路に映像信号を伝送する信号処理回路と、
前記液晶表示素子を制御する回路、前記光源ユニットを制御する回路、及び、前記信号処理回路のうちの少なくとも１個の回路に電源を供給する電源回路とが備えられた液晶表示ユニットであって、
前記信号処理回路及び前記電源回路は、前記液晶表示素子の前面を含む平面と、前記光源ユニットの底面を含む平面とによって画される領域内であって、
前記液晶表示素子の前面を鉛直方向と平行にした場合において、前記光源ユニットの下側領域に設けられていることを特徴とする液晶表示ユニット。
【請求項１５】
前記液晶表示装置を覆う筐体が備えられており、
前記筐体は、前記液晶表示素子の前面を鉛直方向と平行にした場合において、前記液晶表示装置の前面、裏面、及び、上面に沿った形状に形成されていることを特徴とする請求項１４に記載の液晶表示ユニット。
【発明の詳細な説明】
【技術分野】
【０００１】
本発明は、液晶表示装置及び液晶表示ユニット、特には、消費電力の低い液晶表示装置及び液晶表示ユニットに関するものである。
【背景技術】
【０００２】
近年、ブラウン管（ＣＲＴ：Ｃａｔｈｏｄｅ  Ｒａｙ  Ｔｕｂｅ）に代わり急速に普及している液晶表示装置は、省エネルギー、薄型、軽量等の特長をいかし、液晶テレビ、モニター、携帯電話等に幅広く利用されている。これらの特長をさらにいかす方法として、液晶表示素子の背後に配置される照明装置であるバックライトユニット（光源ユニット）の改良が挙げられる。【０００３】
ここで、前記光源ユニットは、主にサイドライト型の光源ユニットと直下型の光源ユニットとに大別される。【０００４】
サイドライト型の光源ユニットは、液晶表示素子の背後に導光板が設けられ、導光板の横端部に光源が設けられた構造を有している。光源から出射した光は、導光板で反射して間接的に液晶表示素子を均一に照射する。この構造により、前記バックライトを薄型化することができるとともに、輝度は低いものの輝度均一性に優れた照明装置を実現することがきる。そのため、サイドライト型の照明装置は、携帯電話、ノートパソコン等のような中小型液晶表示装置に主に採用されている。【０００５】
他方、直下型の光源ユニットは、液晶表示素子の背後に光源を複数個配列し、液晶表示素子を直接照射する。そのため、大画面でも高輝度が得やすく、２０インチ以上の大型液晶表示装置で主に採用されている。【０００６】
（特許文献１）
前記直下型の光源ユニットとしては、例えば、特許文献１に記載の構成がある。【０００７】
すなわち、前記特許文献１には、およそ長方形状のハウジング内に、その長辺方向と平行な方向に、およそ直管状の光源が、複数本設けられた照明ユニット（光源ユニット）についての記載がある。
【先行技術文献】
【特許文献】
【０００８】
【特許文献１】日本国公開特許公報「特開２００７−８７６５７号公報（公開日：２００７年４月５日）」
【発明の概要】
【０００９】
（薄型化）
しかしながら、従来の直下型の光源ユニットでは、その奥行きが増しやすく、ひいては液晶表示装置の薄型化に反するとの問題点がある。以下、図に基づいて説明する。
【００１０】
図１９は、従来の液晶表示装置２０の概略構成を示す断面図である。前記液晶表示装置２０は、液晶表示パネル（図示せず）が備えられた液晶表示素子３０と、その背後に設けられた照明装置としての光源ユニット４０とを、その主要構成要素とする。
【００１１】
そして、従来の液晶表示装置２０においては、前記光源ユニット４０の背後に、各種回路が配置されている。すなわち、前記図１９に示すように、前記光源ユニット４０は、光源（図示せず）と、その光源が設けられる筐体である光源ケース４２とを有する。そして、前記光源ケース４２の外側の底面である光源ケース底面４４に第１制御回路６０と、第２制御回路６４とが配置されている。
【００１２】
ここで、前記第１制御回路６０とは、主にタイミングコントローラー（Ｔ−ＣＯＮ）のような液晶表示素子３０を駆動・表示させるために必要な制御回路を意味し、他方、前記第２制御回路６４とは、主にインバーター基板（光源ユニットに備えられる光源が発光ダイオード（ＬＥＤ：Ｌｉｇｈｔ  Ｅｍｉｔｔｉｎｇ  Ｄｉｏｄｅ）の場合には、ドライバ基板）のような光源ユニット４０を点灯させるために必要な制御回路を意味する。
【００１３】
また、液晶表示装置２０の構成によっては、前記第１制御回路６０及び第２制御回路６４の背後にさらに回路が設けられる場合がある。
【００１４】
すなわち、前記図１９に示すように、前記光源ケース底面４４に、前記第１制御回路６０及び第２制御回路６４を覆うような土台であるアングル５８を設ける。そして、そのアングル５８上に他の回路として、例えば信号処理回路７０や電源回路７４が設けられる。
【００１５】
ここで、前記信号処理回路７０とは、例えば前記第１制御回路６０に信号を伝送する回路であり、また、前記電源回路７４とは、例えば前記各回路に電源を供給する回路を意味する。
【００１６】
以上のように、従来の液晶表示装置２０には、前記光源ユニット４０の光源ケース底面４４に第１制御回路６０等が設けられていることにより、また、前記アングル５８に信号処理回路７０等が設けられている場合にはなおさら、液晶表示装置２０の奥行きが増すとの問題点がある。
【００１７】
（消費電力）
また、前記従来の液晶表示装置２０には、消費電力の抑制が困難であるという問題点がある。具体的には、液晶表示装置２０に備えられている直下型の光源ユニットには、その消費電力が高いという問題点がある。
【００１８】
すなわち、一般に直下型の光源ユニットに用いられる光源は、例えば冷陰極管（ＣＣＦＬ：Ｃｏｌｄ  Ｃａｔｈｏｄｅ  Ｆｌｕｏｒｅｓｃｅｎｔ  Ｌａｍｐ）等の蛍光管である。そして、前記蛍光管等は、一般にその消費電力が高い。さらに、前記特許文献１に記載の構成のように、光源ユニットに複数個の光源が設けられている場合にはなおさら、その消費電力が問題となる。
【００１９】
そこで本発明は、前記の問題点にかんがみてなされたものであり、その目的は、奥行き幅が抑制された液晶表示装置、及び、液晶表示ユニットを提供することにある。
【００２０】
さらには、消費電力の抑制が容易であり、かつ、奥行き幅が抑制された液晶表示装置、及び、液晶表示ユニットを提供することにある。
【００２１】
本発明の液晶表示装置は、前記課題を解決するために、液晶表示パネルが設けられている液晶表示素子と、光源が設けられ、前記液晶表示素子の背後に配置されることにより前記液晶表示パネルを背面から照射する光源ユニットとが備えられた液晶表示装置であって、前記液晶表示素子を制御する回路、及び、前記光源ユニットを制御する回路のうちの少なくとも一方の回路が、前記液晶表示素子の前面を含む平面と、前記光源ユニットの底面を含む平面とによって画される領域内に設けられていることを特徴とする。
【００２２】
前記の構成によれば、各回路が、液晶表示素子の前面を含む平面と、光源ユニットの底面を含む平面とによって画される領域内に設けられている。すなわち、各回路は、液晶表示装置において、液晶表示素子の前面を鉛直方向と平行にした場合において、前記液晶表示素子及び光源ユニットの上下左右側領域内に設けられており、光源ユニットの底面の後方領域等には設けられていない。
【００２３】
そのため、前記回路を設けることにより液晶表示装置の幅が増大しにくく、その結果、液晶表示装置の幅を薄くすることができる。
【００２４】
また、本発明の液晶表示装置は、前記光源ユニットには、直管部分を有する光源が備えられており、前記液晶表示パネルの画面は、長方形状を有しており、前記光源は、その直管部分の主たる方向が、前記画面の１辺である基準辺の伸長方向と揃うように設けられており、前記画面の、前記基準辺の伸長方向と交差する方向である交差方向における幅をＤ１とし、前記交差方向と前記光源の直管部分とが交わる数をＮとした場合、Ｄ１／Ｎが１２０以上であることが好ましい。
【００２５】
前記の構成によれば、Ｄ１／Ｎが１２０以上であるので、画面幅、特には画面の高さ方向の幅あたりの光源の数が少ない。
【００２６】
そのため、光源による電力の消費量が少なくなる。その結果、光源ユニットの低消費電力化、引いては液晶表示装置の低消費電力化が可能となる。すなわち、低消費電力型のテレビである、いわゆるエコテレビを構成しうる液晶表示装置を得ることができる。
【００２７】
また、本発明の液晶表示装置は、前記基準辺が、前記画面の横辺であり、前記交差方向における幅が、画面の縦方向長であることが好ましい。
【００２８】
前記の構成によれば、前記低消費電力型の液晶表示装置において、光源の直管部分が横向きに設けられている。
【００２９】
そのため、画面内における輝度むらや温度むらの抑制が容易になる。
【００３０】
また、本発明の液晶表示装置は、前記液晶表示パネルの画面は、長方形状を有しており、前記光源ユニットには、直管部分を有する光源と、該光源が設けられる光源ケースとが備えられており、前記光源は、前記光源ケースの底部に設けられており、前記底部は、前記光源の直管部分の主たる方向に沿って、長方形状に、かつ平面状に形成されており、前記底部の、前記直管部分の主たる方向と直交する方向における幅をＬとし、前記画面の、前記直管部分の主たる方向と直交する方向における幅をＤ２とした場合、Ｄ２／Ｌが２．５以上、５．５以下であることが好ましい。
【００３１】
前記の構成によれば、画面の高さ方向の幅あたりの、光源が設けられる光源ケース底部の割合が少ない。すなわち、画面幅あたりの光源数が少なくなりやすい。
【００３２】
そのため、光源ユニットの低消費電力化、引いては液晶表示装置の低消費電力化が可能となる。そのため、前記エコテレビを構成しうる液晶表示装置を得ることができる。
【００３３】
また、本発明の液晶表示装置は、前記液晶表示素子を制御する回路、及び、前記光源ユニットを制御する回路のうちの少なくとも一方の回路の主たる部分が、液晶表示素子の前記前面を鉛直方向と平行にした場合において、前記液晶表示素子の上端と、前記液晶表示素子の下端との間の領域内に設けられていることが好ましい。
【００３４】
また、本発明の液晶表示装置は、液晶表示素子の前記前面を鉛直方向と平行にした場合において、前記液晶表示素子の下側には、前記液晶表示素子を支えるスタンドが設けられており、前記液晶表示素子を制御する回路、及び、前記光源ユニットを制御する回路のうちの少なくとも一方の回路の主たる部分が、前記液晶表示素子の上端と、前記スタンドの下端との間の領域内に設けられていることが好ましい。
【００３５】
また、本発明の液晶表示装置は、前記液晶表示素子を制御する回路、及び、前記光源ユニットを制御する回路のうちの少なくとも一方の回路の主たる部分が、前記スタンドに設けられていることが好ましい。
【００３６】
また、本発明の液晶表示装置は、前記液晶表示素子を制御する回路、及び、前記光源ユニットを制御する回路のうちの少なくとも一方の回路が、液晶表示素子の前記前面を鉛直方向と平行にした場合において、前記光源ユニットの下側領域に設けられていることが好ましい。
【００３７】
前記の構成によれば、発熱源となる回路が、光源ユニットの下側領域に設けられている。そのため、各回路から発熱した熱が上昇することにより、光源ユニット及び液晶表示素子に達しやすくなる。
【００３８】
その結果、液晶表示素子に備えられる液晶表示パネルの面内温度均一性を向上させることが容易になる。
【００３９】
特には、画面の幅（特には高さ方向の幅）あたりの光源数が少ない低消費電力型の液晶表示装置においては、液晶表示パネル面内における温度の均一性が低下しやすいところ、前記回路から発熱した熱により均一性低下の抑制が容易になる。
【００４０】
また、上記制御回路の発熱が、これら以外の回路に影響を及ぼさなくなり、より高品位の表示等が可能となる。
【００４１】
また、本発明の液晶表示装置は、前記光源ユニットの下側領域に設けられている前記回路は、前記光源ユニットに備えられている光源ケースに接するように設けられていることが好ましい。
【００４２】
前記の構成によれば、発熱源となる回路が光源ケースに接するように設けられている。
【００４３】
そのため、回路からの熱が直接光源ケースに達し、光源ケースの温度均一性を向上させることが容易になる。そして、光源ケースの温度均一性が向上することにより、光源ユニットに併設されている液晶表示パネルの面内温度均一性を向上させることが容易になる。
【００４４】
また、上記制御回路の発熱が、これら以外の回路に影響を及ぼさなくなり、より高品位の表示等が可能となる。
【００４５】
また、本発明の液晶表示装置は、前記液晶表示素子を制御する回路を、タイミングコントローラーとすることができる。
【００４６】
また、本発明の液晶表示装置は、前記光源ユニットを制御する回路が、インバーター基板をすることができる。
【００４７】
また、本発明の液晶表示装置は、前記光源ユニットの下側領域に設けられている前記回路が、タイミングコントローラーであることが好ましい。
【００４８】
前記の構成によれば、タイミングコントローラーが光源ユニットの下側領域に設けられている。
【００４９】
ここで、タイミングコントローラーは、比較的発熱量の多い回路である。
【００５０】
そのため、タイミングコントローラーからの発熱を利用して、液晶表示パネルの面内温度均一性を向上させることが容易になる。
【００５１】
また、上記制御回路の発熱が、これら以外の回路に影響を及ぼさなくなり、より高品位の表示等が可能となる。
【００５２】
また、本発明の液晶表示装置は、前記光源が、熱陰極管であることが好ましい。
【００５３】
前記の構成によれば、光源が熱陰極管である。
【００５４】
熱陰極管は、例えば冷陰極管等の他の光源と比較して、発光効率が高く、また、管径を大きくすることも容易である。
【００５５】
そのため、少ない個数で、所望の輝度を実現することができ、エコテレビ等、低消費電力型の液晶表示装置の設計が容易になる。
【００５６】
また、本発明の液晶表示ユニットは、前記液晶表示装置と、前記液晶表示素子を制御する回路に映像信号を伝送する信号処理回路と、前記液晶表示素子を制御する回路、前記光源ユニットを制御する回路、及び、前記信号処理回路のうちの少なくとも１個の回路に電源を供給する電源回路とが備えられた液晶表示ユニットであって、前記信号処理回路及び前記電源回路は、前記液晶表示素子の前面を含む平面と、前記光源ユニットの底面を含む平面とによって画される領域内であって、前記液晶表示素子の前面を鉛直方向と平行にした場合において、前記光源ユニットの下側領域に設けられていることが好ましい。
【００５７】
前記の構成によれば、前記各回路が、前記液晶表示素子の前面を含む平面と、前記光源ユニットの底面を含む平面とによって画される領域内に設けられている。
【００５８】
そのため、テレビジョン受像機等、液晶表示装置が組み込まれた液晶表示ユニットにおいて、その奥行き幅を抑制することができる。
【００５９】
また、本発明の液晶表示ユニットは、前記液晶表示装置を覆う筐体が備えられており、前記筐体は、前記液晶表示素子の前面を鉛直方向と平行にした場合において、前記液晶表示装置の前面、裏面、及び、上面に沿った形状に形成されていることが好ましい。
【００６０】
前記構成によれば、筐体が液晶表示装置の前記各部に沿った形状に形成されている。
【００６１】
そのため、省スペース化を図ることができる。また、液晶表示ユニットの重心が低くなるので、安定性を増すことが容易になる。
【００６２】
本発明の液晶表示装置は、以上のように、液晶表示素子を制御する回路、及び、光源ユニットを制御する回路のうちの少なくとも一方の回路が、前記液晶表示素子の前面を含む平面と、前記光源ユニットの底面を含む平面とによって画される領域内に設けられているものである。
【００６３】
それゆえ、奥行き幅が抑制された液晶表示装置を提供することができるという効果を奏する。
【図面の簡単な説明】
【００６４】
【図１】本発明の実施の形態を示す図であり、（ａ）は液晶表示装置の横断面を、（ｂ）は液晶表示装置を背面から見た様子を示している。
【図２】本発明の実施の形態を示す図であり、（ａ）は液晶表示装置の横断面を、（ｂ）は液晶表示装置を背面から見た様子を示している。
【図３】本発明の実施の形態を示す図であり、（ａ）は光源ユニットの断面形状を示し、（ｂ）は液晶表示パネルの画面内における光源の配置を示す図である。
【図４】画面内における光源の配置を示す図であり、（ａ）は蛍光管がＵ字型である場合を示し、（ｂ）は蛍光管が直管型である場合を示している。
【図５】バックライト輝度を約３０００ｃｄ／ｍ２とした場合の画面サイズと光源本数との関係を示す図である。
【図６】バックライト輝度を約６０００ｃｄ／ｍ２とした場合の画面サイズと光源本数との関係を示す図である。
【図７】バックライト輝度を約３０００ｃｄ／ｍ２とした場合を説明する図であり、（ａ）は光源ケースの形状を示し、（ｂ）は画面サイズ毎の底部幅を示している。
【図８】バックライト輝度を約６０００ｃｄ／ｍ２とした場合を説明する図であり、（ａ）は光源ケースの形状を示し、（ｂ）は画面サイズ毎の底部幅を示している。
【図９】底部幅と画面中央部輝度及びＭＩＮ／ＭＡＸ輝度比との関係を示す図であり、（ａ）は前記関係をグラフで示し、（ｂ）は前記関係を表で示している。
【図１０】輝度の測定点を示す図である。
【図１１】光源ケースの形状を示す図であり、（ａ）は箱型の光源ケースを示し、（ｂ）は円型の光源ケースを示し、（ｃ）は放物型の光源ケースを示している。
【図１２】本発明の他の実施の形態を示す図であり、（ａ）及び（ｂ）は、いずれも液晶表示ユニットの横断面を示している。
【図１３】本発明の他の実施の形態を示す図であり、液晶表示ユニットの横断面を示している。
【図１４】本発明の他の実施の形態を示す図であり、（ａ）は液晶表示ユニットの横断面を、（ｂ）は液晶表示ユニットを背面から見た様子を示している。
【図１５】本発明の他の実施の形態を示す図であり、液晶表示ユニットの横断面を示している。
【図１６】本発明の他の実施の形態を示す図であり、液晶表示ユニットの横断面を示している。
【図１７】本発明の他の実施の形態を示す図であり、液晶表示ユニットの横断面を示している。
【図１８】液晶表示装置の概略構成を示す断面図であり、（ａ）は筐体が備えられていない構成を示し、（ｂ）は筐体が備えられている構成を示し、（ｃ）はスタンドが備えられている構成を示している。
【図１９】従来技術を示すものであり、液晶表示装置の概略構成を示す断面図である。
【発明を実施するための形態】
【００６５】
〔実施の形態１〕
本発明の一実施の形態について図に基づいて説明すると以下の通りである。
【００６６】
図１の（ａ）及び図１の（ｂ）は、いずれも本実施の形態の液晶表示装置２０の概略構成を示す図であり、図１の（ａ）は横断面を示し、図１の（ｂ）は背面から見た様子を示している。
【００６７】
図１の（ａ）に示すように、本実施の形態の液晶表示装置２０は、先に図１９に基づいて説明した液晶表示装置２０と同様の構成を有している。
【００６８】
すなわち、本実施の形態の液晶表示装置２０は、液晶表示パネル（図示せず）が備えられた液晶表示素子３０と、その背後に設けられた照明装置としての光源ユニット４０とを、その主要構成要素としている。
【００６９】
そして、前記光源ユニット４０は、光源（図示せず）と、当該光源が設けられている光源ケース４２とを、その主構成要素としている。
【００７０】
詳しくは、前記光源ユニット４２は、その横断面形状において、およそ台形状である。具体的には、光源ケース４２は、光源ケース４２が前記液晶表示素子３０と接する面とほぼ平行な底面（光源ケース底部４３）を有している。そして、前記底面に対して互いにほぼ対象な位置にある、前記台形状の斜辺に対応する面が、光源ケース上面４６及び光源ケース下面４８である。
【００７１】
そして、本実施の形態の液晶表示装置２０は、前記光源ケース４２の深さである内寸Ｍが大きい点と、各回路が光源ケース４２の外側の底面である前記光源ケース底面４４には設けられていない点が特徴である。以下、説明する。
【００７２】
（低消費電力）
まず本実施の形態の液晶表示装置２０は、低消費電力型の液晶表示装置２０として設計されている。
【００７３】
すなわち、本実施の形態の液晶表示装置２０では、先に説明した通り、液晶表示装置２０の構成要素の中でその消費電力が大きい光源ユニット４０の消費電力が、該光源ユニット４０に設けられる光源の個数を減少させることにより抑制されている。
【００７４】
すなわち、本実施の形態の液晶表示装置２０においては、光源として直管型の蛍光管が１本のみ設けられている。
【００７５】
図３の（ａ）及び図３の（ｂ）は、本実施の液晶表示装置２０の構成を説明するための図であり、図３の（ａ）は、光源ユニット４０の断面形状を示し、図３の（ｂ）は、液晶表示パネルの画面３６を示す図である。
【００７６】
前記図３の（ｂ）に示すように、本実施の形態の液晶表示装置２０においては、その画面３６は、横長の長方形状であり、光源５０としての蛍光管は、前記長方形状の縦短辺のほぼ中心位置において、その直管部分５２が、前記長方形状の横長辺と平行（基準辺の伸長方向と揃う）となるように、１本設けられている。
【００７７】
以下、前記図３の（ａ）に基づいて、光源ユニット４０についてより詳しく説明する。
【００７８】
前記図３の（ａ）に示すように、本実施の形態の光源ユニット４０は、前記横断面形状が台形状の光源ケース４２と、その内壁に設けられた反射シート５７と、前記光源ケース４２の出射部にあたる開口部に設けられた拡散板５５と、該拡散板５５に積層された２枚の拡散シート５６とを有する。
【００７９】
そして、前記光源ケース４２の前記光源ケース底部４３に、前記光源５０が設けられている。
【００８０】
この光源５０は、直管状の熱陰極管（ＨＣＦＬ：Ｈｏｔ  Ｃａｔｈｏｄｅ  Ｆｌｕｏｒｅｓｃｅｎｔ  Ｌａｍｐ）であり、その管径は１５．５ｍｍである。ここで、熱陰極管は、冷陰極管（ＣＣＦＬ：Ｃｏｌｄ  Ｃａｔｈｏｄｅ  Ｆｌｕｏｒｅｓｃｅｎｔ  Ｌａｍｐ）等に比べ、駆動するための回路の配置に自由度がある。
【００８１】
なお、前記回路には、必要に応じて、適宜インバーター回路が組み合わされる。
【００８２】
そして、前記図３の（ａ）及び図３の（ｂ）に示す液晶表示装置２０は、画面３６の大きさが縦方向３４５ｍｍ（画面の縦方向の幅Ｄ）、横方向５９５ｍｍ（画面の横方向の幅Ｗ）である。
【００８３】
上記大きさの画面を有する液晶表示装置２０においては、通常、図４の（ｂ）に示すように、光源５０として、直管型の蛍光管が５本、ほぼ均等に配置されている。ここで、図４の（ｂ）は、前記図３の（ｂ）と同様に、液晶表示パネルの画面３６内における光源５０の配置を示す図である。
【００８４】
以上のように、本実施の形態の液晶表示装置２０では、その光源ユニット４０に備えられる光源５０の個数が、通常の５本から１本に、４本削減されている。そのため、前記液晶表示装置２０は、液晶表示装置２０における消費電力が抑制されており、いわゆるエコテレビを構成することが可能な液晶表示装置２０となっている。
【００８５】
（エコテレビ）
ここで、前記エコテレビについて説明する。エコテレビとは、消費電力が抑制された液晶表示装置２０が備えられた、液晶表示ユニット１０としてのテレビジョン受像機を意味する。
【００８６】
（光源の本数）
ここで、本実施の形態においては、前記消費電力の抑制が、光源ユニット４０に設けられる光源５０の個数を減らすことによって行われている。
【００８７】
図５は及び図６は、いずれも所望のバックライト輝度を実現するために必要な光源５０の本数を、画面サイズ毎にまとめたものである。なお、所望のバックライト輝度とは、例えば液晶ディスプレイ装置として必要な最低輝度を３００ｃｄ／ｍ２とし、液晶表示パネルの透過率を５〜１０％としたときに決定される数値である。
【００８８】
具体的には、図５はバックライト輝度を約３０００ｃｄ／ｍ２とした場合を示し、図６はバックライト輝度を約６０００ｃｄ／ｍ２とした場合を示している。
【００８９】
なお、図５に示す例においても、図６に示す例においても、光源は熱陰極管とし、その管径φは１５．５ｍｍ、管電流は１００ｍＡ〜３００ｍＡとた。また、色温度が４５０００Ｋの管を用い、管長は５８５ｍｍとした。また、光源ユニット４０に設けられる光学シートは、前記図３の（ａ）に基づいて説明した構成と同様に、拡散板５５と、２枚の拡散シート５６とである。
【００９０】
（基準値：３０００ｃｄ／ｍ２）
まず、バックライト輝度を約３０００ｃｄ／ｍ２に設定した場合について、図５に基づいて説明する。
【００９１】
前記図５に示すように、画面サイズを対角２０型から６５型まで変化させ、前記のバックライト輝度が実現する光源５０の本数Ｎを求めると、前記画面サイズに応じて、１本から３本の本数が決定される。
【００９２】
そして、各々の画面サイズについて、画面の縦方向の幅（縦方向長）Ｄ（基準辺の伸長方向と交差する方向である交差方向における幅）と光源５０の本数Ｎ（交差方向と光源の直管部分とが交わる数）との比である係数Ｄ／Ｎの値を求めたところ、係数Ｄ／Ｎは、２１６から３９２の値となった。
【００９３】
ここで、係数Ｄ／Ｎは、１本の光源あたりの画面の縦方向の幅を示す係数であり、係数の値が大きくなるほど、相対的に光源の本数が減少し、より消費電力が抑制される。
【００９４】
（基準値：６０００ｃｄ／ｍ２）
つぎに、バックライト輝度を約６０００ｃｄ／ｍ２に設定した場合について、図６に基づいて説明する。
【００９５】
前記バックライト輝度を約３０００ｃｄ／ｍ２に設定した場合と同様に、画面サイズを対角２０型から６５型まで変化させ、各々の画面サイズについて、前記係数Ｄ／Ｎの値を求めたところ、係数Ｄ／Ｎは１２３から２６８の値となった。
【００９６】
以上より、前記係数Ｄ／Ｎが１２０以上、詳しくは１２３より大きい場合に、画面サイズに対して、光源の本数が可能な限り少なく設計されているといえ、低消費電力を優先させた液晶表示装置２０と言える。すなわち、エコテレビとなりうる液晶表示装置２０と言える。
【００９７】
（冷陰極管）
なお、前記図５及び図６に基づいて説明した光源の本数は、前記の通り、熱陰極管を用いた場合についての本数である。これに対して、光源として冷陰極管を用いた場合には、一般的に必要な光源の本数が増加する。
【００９８】
これは、現状の一般の冷陰極管は、熱陰極管に比べ、発光効率が相対比約７０％と低く、その管径も約１／４と小さいためである。そのため、冷陰極管を用いて、熱陰極管を用いた場合と同程度のバックライト輝度を実現するためには、おおむね熱陰極管を用いた場合の５倍の本数が必要になる。
【００９９】
ただし、発光効率がよく、また熱陰極管と同程度の太管の冷陰極管を用いることができれば、冷陰極管を用いて、前記エコテレビを構成することが容易になる。
【０１００】
（光源ケース底部の幅）
つぎに、前記エコテレビについて、光源ユニット４０の形態の観点から説明する。
【０１０１】
先に図３の（ａ）に基づいて説明した通り、本実施の形態の光源ユニット４０には、横断面形状がおよそ台形状、より詳しくは等脚台形状の光源ケース４２が備えられている。そして、台形における上底にあたる部分が、光源５０が設けられる光源ケース底部４３である。
【０１０２】
他方、台形における下底にあたる部分が、光源ケース４２の開口部であり、光源ユニットの出射面となる。そして、開口部の縦方向の幅は、液晶表示装置２０における画面３６の縦方向の幅Ｄにほぼ等しい。
【０１０３】
そこで、前記光源ケース底部４３の幅（画面の縦方向における幅）Ｌとして、前記画面の縦方向の幅Ｄとによって求められる係数に基づいて、前記エコテレビについて説明する。
【０１０４】
図７の（ａ）、図７の（ｂ）、図８の（ａ）及び図８の（ｂ）は、いずれも所望のバックライト輝度を実現するために適した前記光源ケース底部４３の幅Ｌを画面サイズ毎にまとめたものである。
【０１０５】
まず、前記図７の（ａ）等に基づいて幅Ｌの値について説明する前に、前記適した光源ケース底部４３の幅Ｌを決定するための算定基準について、図９の（ａ）、図９の（ｂ）及び図１０に基づいて説明する。
【０１０６】
ここで、図９の（ａ）は、前記底部幅Ｌと、画面中央部輝度及びＭＩＮ／ＭＡＸ輝度比との関係をグラフで示す図であり、図９の（ｂ）は、前記関係を表で示す図である。また、図１０は、図９の（ａ）及び図９の（ｂ）に示す結果について、その輝度の測定点を示す図である。
【０１０７】
（輝度測定点）
前記図１０に示すように、図９の（ａ）及び図９の（ｂ）に示す測定結果は、画面３６のサイズが、その縦方向の幅Ｄ＝３１８ｍｍ、横方向の幅Ｗ＝５６５ｍｍ、すなわち画面サイズが対角２６型における測定結果である。
【０１０８】
そして、画面３６内の輝度は、前記図１０に示すように、画面３６内の５点において測定されている。
【０１０９】
具体的には、図１０におけるバツ印１からバツ印５に示す５点で測定されている。すなわち、バツ印１からバツ印４で示す測定点は、画面３６の四隅近傍を、その左上から、時計回りの順で、各々示している。詳しくは、前記バツ印１からバツ印４は、画面３６の端辺から、画面３６の縦方向については両端辺から各々３５．３ｍｍ内側、画面３６の横方向については両端辺から各々６２．８ｍｍ内側の点を示している。
【０１１０】
また、バツ印５は、前記画面３６の中心位置を示し、かかる位置における輝度は、画面中央部輝度となる。
【０１１１】
（輝度測定結果）
つぎに、前記図９の（ａ）及び図９の（ｂ）に基づいて、前記各バツ印で示す測定点における輝度測定の結果について説明する。
【０１１２】
図９の（ａ）に示すグラフ、及び、図９の（ｂ）に示す表は、横軸が前記光源ケース底部４３の幅Ｌを示し、縦軸の左側は画面中央部輝度、すなわち、前記バツ印５で示す測定点における輝度を示している。また、縦軸の右側は画面内輝度比であるＭＩＮ／ＭＡＸ輝度比、すなわち、（前記バツ印５で示す測定点における輝度）／（前記バツ印１からバツ印４で示す測定点における輝度のなかでの最小輝度）を示している。
【０１１３】
なお、光源ケース底部４３の幅は、２０ｍｍから８０ｍｍまで、変化させている。また、前記光源ケース底部４３と光源ケース底面４４とは、光源ケース４２おける内面・外面の差異があるものの、その幅はほぼ等しい。
【０１１４】
以下、画面中央部輝度と、ＭＩＮ／ＭＡＸ輝度比について説明する。
【０１１５】
まず、画面中央部輝度は３０００ｃｄ／ｍ２以上であることが望まれる。
【０１１６】
また、ＭＩＮ／ＭＡＸ輝度比については、液晶表示装置２０の観者が、画面３６内の輝度むらを感じにくいレベル、すなわち視覚的に問題ないレベルとして、約５０％以上であることが望まれる。
【０１１７】
そして、以上の画面中央部輝度、及び、ＭＩＮ／ＭＡＸ輝度比についての望まれる値をいずれも満足する底部幅Ｌとしては、６０ｍｍがあげられる。
【０１１８】
以上の検証により、画面サイズが対角２６型である場合には、光源ケース４２の底部４３の幅Ｌは、６０ｍｍ近傍であることが好ましいことがわかる。
【０１１９】
そしてこのとき、画面３６の縦方向の幅Ｄと、前記光源ケース４２の底部４３の幅Ｌとの比である係数Ｄ／Ｌは、５．３となる。
【０１２０】
ここで、画面３６の縦方向の幅Ｄと、前記光源ケース４２の底部４３の幅Ｌとの望ましい関係（比）は、画面３６の大きさが変化しても、相似形の関係において変わらないと考えられる。
【０１２１】
そこで、かかる関係（係数Ｄ／Ｌ＝５．３）を用いて、他の画面サイズにおける、前記光源ケース底部４３の望ましい幅Ｌを求めた。以下、前記図７の（ａ）及び図７の（ｂ）に基づいて説明する。
【０１２２】
図７の（ａ）は、画面３６の縦方向の幅Ｄが３１８ｍｍ、すなわち画面サイズが対角２６型の液晶表示装置２０における、好ましい光源ケース４２の形状を示す図である。
【０１２３】
この図７の（ａ）に示すように、対角２６型においては光源ケース底部４３の幅Ｌは上述の通り６０ｍｍが好ましい。
【０１２４】
そして、この図７の（ａ）に示す画面３６の縦方向の幅Ｄと、光源ケース底部４３の幅Ｌとの関係を、他の画面サイズに当てはめた結果を示す表が図７の（ｂ）である。すなわち、図７の（ｂ）は、前記係数Ｄ／Ｌを５．３にした場合における、各画面サイズに対する好ましい底部幅Ｌを示している。
【０１２５】
底部幅Ｌを図７の（ｂ）に示す値に設定することにより、種々の画面サイズにおいて、３０００ｃｄ／ｍ２基準とした望ましいバックライト輝度を実現することができる。詳しくは、画面中央部輝度が約３２００ｃｄ／ｍ２、ランプ電力１３．８Ｗで、輝度むらのほとんどないバックライト輝度を実現することができる。
【０１２６】
なお、前記図７の（ａ）に示すように、画面中央部輝度：３０００ｃｄ／ｍ２以上を想定した構成においては、光源ケース４２の内寸（拡散板下面から反射板上面の距離、すなわち光源ケースの深さ）Ｍは、１１７ｍｍとしている。
【０１２７】
（基準値：６０００ｃｄ／ｍ２）
つぎに、前記図９の（ａ）及び図７の（ｂ）で行った好ましい底部幅Ｌに対する検証を、前記画面中央部輝度を前記３０００ｃｄ／ｍ２以上ではなく、６０００ｃｄ／ｍ２とした場合について、図８の（ａ）及び図８の（ｂ）に基づいて説明する。
【０１２８】
すなわち、図８の（ａ）に示すように、画面中央部輝度を６０００ｃｄ／ｍ２とした場合には、画面サイズが対角２６型の液晶表示装置２０において、好ましい光源ケース底部４３の幅Ｌは１２０ｍｍとなり、前記係数Ｄ／Ｎは２．７となる。
【０１２９】
前記係数Ｄ／Ｎに基づいて、対角２６型以外の画面サイズを有する液晶表示装置２０について、望ましい底部４３の幅Ｌを演算した結果を図８の（ｂ）に示す。
【０１３０】
底部幅Ｌを図８の（ｂ）に示す値に設定することにより、種々の画面サイズにおいて、６０００ｃｄ／ｍ２基準とした望ましいバックライト輝度を実現することができる。
【０１３１】
なお、前記図８の（ａ）に示すように、画面中央部輝度：６０００ｃｄ／ｍ２以上を想定した構成においては、光源ケース４２の内寸（拡散板下面から反射板上面の距離、すなわち光源ケースの深さ）Ｍは、５８．５ｍｍとしている。
【０１３２】
なお、図７の（ａ）、図７の（ｂ）、図８の（ａ）及び図８の（ｂ）に示す値等を求めるにあたり、用いた光源や、光源ユニットの構成については、前記図５及び図６について説明したものと同様である。
【０１３３】
以上の検討により、画面３６の縦方向の幅Ｄと、前記光源ケース４２の底部４３の幅Ｌとの比である係数Ｄ／Ｌを、２．５以上５．５以下とすること、詳しくは、２．７以上５．３以下とすることにより、光源５０が設けられる光源ケース底部４３の幅Ｌが最適化される。そして、光源の本数を可能な限り少なくすることが可能となり、低消費電力化されたエコテレビを構成しうる液晶表示装置２０を実現することができる。
【０１３４】
（光源ケースの内寸）
本実施の形態の液晶表示装置２０は、前記図３の（ａ）に示すように、およそ２６型の画面３６を有しながらも、用いられる光源５０の本数が１本であり、いわゆる低消費電力型の液晶表示装置２０となっている。そのため、前記図１９に基づいて説明した従来の液晶表示装置２０に比べて、光源ケース４２の内寸Ｍが大きくなっている。
【０１３５】
（回路配置）
つぎに、前記図１の（ａ）及び図１の（ｂ）に基づいて、本実施の形態の液晶表示装置２０における各回路の配置について説明する。
【０１３６】
本実施の形態の液晶表示装置２０では、各回路は、光源ケース４２の底面４４ではなく、液晶表示素子３０の前面３２を含む平面と、光源ユニット４０の底面、すなわち光源ケース４２の底面４４を含む平面とによって画される領域Ｒ１内に設けられている。以下、具体的に従来の液晶表示装置２０と対比しながら説明する。
【０１３７】
すなわち、従来の液晶表示装置２０では、前記図１９に示すように、光源ユニット４０の背後に、各種回路が配置されていた。すなわち、前記光源ケース４２の外側の底面である光源ケース底面４４に第１制御回路６０と、第２制御回路６４とが配置されていた。
【０１３８】
これに対し、本実施の形態の液晶表示装置２０では、タイミングコントローラー（Ｔ−ＣＯＮ）のような液晶表示素子３０を駆動・表示させるために必要な制御回路である前記第１制御回路６０は、光源ケース４２の前記上面４６に配置されている。
【０１３９】
また、インバーター基板のような光源ユニット４０を点灯させるために必要な制御回路である前記第２制御回路６４は、光源ケース４２の前記下面４８に配置されている。
【０１４０】
すなわち、光源ケース底面４４には、回路は設けられておらず、各種回路は、前記領域Ｒ１の範囲内に設けられている。
【０１４１】
なお、画面サイズを２６型とした場合において、前記第１制御回路６０は、液晶表示パネルに向けられたスイッチング素子としてのＴＦＴ（Ｔｈｉｎ  Ｆｉｌｍ  Ｔｒａｎｓｉｓｔｏｒ：薄膜トランジスタ）素子を制御するためのコントローラ回路として構成されたとき、その大きさは、例えば約１４０ｍｍ×６０ｍｍ×２０ｍｍｔとなる。
【０１４２】
また、同様に、前記第２制御回路６４は、光源５０としての熱陰極管（熱陰極蛍光灯）と点灯させるためのインバーター回答として構成されたとき、その大きさは、例えば約１２０ｍｍ×１２０ｍｍ×４０ｍｍｔとなる。
【０１４３】
（薄型化）
前記の回路配置により、本実施の形態の液晶表示装置２０では、液晶表示装置２０全体の奥行き幅を抑制することができる。
【０１４４】
本実施の形態の液晶表示装置２０は、画面サイズに対して光源の数が少なく、低消費電力型となっている。そのため、先に説明した通り、本実施の形態においては、光源ユニット４０の光源ケース４２の前記内寸Ｍが、従来の液晶表示装置２０の前記内寸Ｍよりも大きくなっている。すなわち、低消費電力型である本実施の形態の液晶表示装置２０は、従来の液晶表示装置２０よりも、薄型化に反する場合がある。
【０１４５】
しかしながら、本実施の形態においては、前記大きくなった光源ケース４２の内寸Ｍを積極的に有効利用し、具体的には、内寸Ｍが大きくなることにより広がった領域Ｒ１の範囲内に、前記各回路を配置することにより、液晶表示装置２０全体の奥行き幅の増加を抑制している。
【０１４６】
（画面内温度の均一性）
また、前記各回路が、光源ケース４２の底面４４ではなく、液晶表示素子３０の前面３２を含む平面と、光源ケース４２の底面４４を含む平面とによって画される領域Ｒ１内に設けられている本実施の形態の液晶表示装置２０では、液晶表示素子３０に含まれる液晶表示パネルの画面３６内における面内温度の均一性を向上させることができる。
【０１４７】
すなわち、液晶表示パネルの背後には、光源ユニット４０に設けられた光源５０が位置する。そして、前記光源５０は一般的に発熱源であり、前記液晶表示パネルは、前記光源５０からの発熱によって熱せられる。
【０１４８】
ここで、前記光源５０は、前記液晶表示パネルの背後の全面に設けられるのではなく、その背後の一部分に設けられる。そのため、液晶表示パネルの画面３６内において、前記光源５０と近い部分では比較的温度が高くなり、他方、前記光源５０と遠い部分では比較的温度が低くなったりして、画面３６内においてその温度にむらが生じる場合がある。
【０１４９】
そして、この温度むらは、画面サイズに対して光源５０の数が少ない低消費電力型の液晶表示装置２０では、より大きくなる場合がある。
【０１５０】
この点、本実施の形態の液晶表示装置２０では、前記光源５０と同様に発熱源となりうる各回路が、液晶表示素子３０の前面３２を含む平面と、光源ケース４２の底面４４を含む平面とによって画される領域Ｒ１内に設けられている。そのため、前記各回路からの発熱が、かかる領域Ｒ１内で対流する。したがって、前記光源５０からの発熱のみでは、前記画面３６内に温度むらが生じやすい場合であっても、前記回路からの発熱が行き渡ることにより、前記画面３６内の温度むらが抑制されやすい。
【０１５１】
また、前記回路からの発熱による画面３６内の温度むらの抑制は、前記回路の内の少なくとも１個の主たる部分が、光源ユニット４０の下層領域、より詳しくは、光源ケース４２の底部４３よりも下層の領域（図１の（ａ）に示す領域Ｒ３）に設けられている場合により効果的である。前記回路からの発熱が、対流等により、より前記画面３６の全体に行き渡りやすいからである。
【０１５２】
また、前記光源ユニット４０よりも下層領域に設ける回路としては、例えば、前記タイミングコントローラー等の比較的発熱量の多い回路が望ましい。回路からの発熱量が多い方が、より画面３６内の温度むらの抑制が図られやすいからである。
【０１５３】
（他の回路配置）
本実施の形態の液晶表示装置２０における、他の回路配置例について、図２の（ａ）及び図２の（ｂ）に基づいて説明する。ここで、図２の（ａ）は液晶表示装置の横断面を示す図であり、図２の（ｂ）は液晶表示装置を背面から見た様子を示す図である。
【０１５４】
前記図１の（ａ）及び図１の（ｂ）に示した液晶表示装置２０では、液晶表示素子３０を駆動・表示させるために必要な制御回路である前記第１制御回路６０は光源ケース４２の前記上面４６に配置され、一方、光源ユニット４０を点灯させるために必要な制御回路である前記第２制御回路６４は光源ケース４２の前記下面４８に配置されていた。
【０１５５】
これに対し、前記図２の（ａ）及び図２の（ｂ）に示す液晶表示装置２０では、前記第１制御回路６０及び前記第２制御回路６４共に、前記光源ケース４２の下面４８に配置されている。
【０１５６】
このような構成では、先に説明した通り、各回路からの発熱による液晶表示パネルの画面３６内における面内温度の均一性をより向上させることが容易になる。
【０１５７】
（他の構成）
なお、前記の説明においては、図３の（ｂ）等に基づいて、低消費電力型の液晶表示装置２０における光源５０の配置について、直管型の蛍光管を１本、その直管部分５２の方向が、横長長方形状の画面３６の横長長辺と平行になるように設ける構成例を示した。
【０１５８】
ただ、本実施の形態の液晶表示装置２０における光源５０の配置は、前記構成例に限定されず、例えば、図４の（ａ）に示すように、Ｕ字型の蛍光管を、その直管部分５２の主たる方向を、画面３６の横方向（図４の（ａ）に示す矢印Ｘ方向）とほぼ平行となるように配置することも可能である。
【０１５９】
また、光源５０は、その直管部分の主たる方向を前記Ｘ方向に揃えて配置されることに限定はされず、例えば、前記矢印Ｘ方向と直交する方向である矢印Ｙ方向、すなわち、画面３６の縦方向に揃えて配置されることもできる。
【０１６０】
（光源ケース）
また、前記の説明においては、光源ユニット４０に備えられる光源ケース４２の横断面形状について、およそ等脚台形状のものについて説明した。
【０１６１】
だだ、本実施の形態の液晶表示装置２０における前記光源ケース４２の形状は、前記形状に限定されず、他の形状とすることもできる。
【０１６２】
図１１の（ａ）から図１１の（ｃ）は、光源ケース４２の他の横断面形状を示す図である。
【０１６３】
前記の説明においては、光源ケース４２の横断面形状、すなわち反射面の形状は、回路や基板の配置のしやすさや、デッドスペースを少なくする等の観点から、台形状、なかでも等脚台形状を例示しながら説明した。
【０１６４】
だた、本実施の形態における光源ケース４２の形状は、前記の形状には限定されず、他の形状とすることもできる。具体的には、他の形状としては、例えば、前記図１１の（ａ）に示す箱型や、図１１の（ｂ）に示す円型や、図１１の（ｃ）に示す放物型とすることができる。
【０１６５】
〔実施の形態２〕
本発明の他の実施の形態について図に基づいて説明すれば、以下の通りである。なお、本実施の形態において説明すること以外の構成は、前記実施の形態１と同じである。また、説明の便宜上、前記の実施の形態１の図面に示した部材と同じ機能を有する部材については、同じ符号を付し、その説明を省略する。
【０１６６】
本実施の形態の液晶表示ユニット１０は、前記実施の形態１ので説明した液晶表示装置２０に加えて、さらに信号処理回路７０と電源回路７４とが設けられている点が特徴である。
【０１６７】
そして、前記信号処理回路７０及び電源回路７４は、前記第１制御回路６０及び第２制御回路６４と同様に、光源ケース４２の底面４４ではなく、液晶表示素子３０の前面３２を含む平面と、光源ユニット４０の底面、すなわち光源ケース４２の底面４４を含む平面とによって画される領域Ｒ１内に設けられている。以下、図に基づき説明する。
【０１６８】
図１２の（ａ）及び図１２の（ｂ）は、本実施の形態の液晶表示ユニット１０の横断面を示す図である。
【０１６９】
前記図１２の（ａ）に示すように、本実施の形態の液晶表示ユニット１０には、前記実施の形態１で説明した液晶表示装置２０が備えられており、さらには、その液晶表示装置２０を覆うような直方体状の筐体１２が備えられている。
【０１７０】
また、前記筐体１２の内部であって、前記領域Ｒ１の範囲内であり、かつ、前記液晶表示装置２０の下層領域Ｒ７の範囲内に、信号処理回路７０及び電源回路７４が設けれれている。
【０１７１】
ここで、前記信号処理回路７０とは、例えば前記第１制御回路６０に信号を伝送する回路であり、また、前記電源回路７４とは、例えば前記各回路に電源を供給する回路を意味する。
【０１７２】
以上の構成により、本実施の形態の液晶表示ユニット１０では、各回路（第１制御回路６０、第２制御回路６４、信号処理回路７０、電源回路７４）は、液晶表示素子３０の前面３２を含む平面と、光源ケース４２の底面４４を含む平面とによって画される領域Ｒ１の範囲内であって、かつ、前記光源ケース４２の底面４４の下層領域Ｒ５の範囲内に設けられている。
【０１７３】
そのため、液晶表示ユニット１０の奥行き幅を抑制することができる。
【０１７４】
ここで、液晶表示ユニット１０が、低消費電力型として設計されている場合には、前記実施の形態１で説明した通り、光源ユニット４０における光源ケース４２の内寸Ｍが大きくなりやすい。
【０１７５】
そのため、液晶表示ユニット１０の概略構成を示す横断面図である図１８の（ａ）に示すように、光源ケース底面４４に各回路を配置すると、特には、前記アングル５８を介して２段に回路を配置すると、液晶表示ユニット１０の奥行き幅が増加しやすかった。これは、液晶表示ユニット１０の概略構成を示す横断面図である図１８の（ｂ）及び図１８の（ｃ）に示すように、前記液晶表示ユニットに筐体１２が備えられた場合や、スタンド１４が備えられた場合であっても同様である。
【０１７６】
これに対して、本実施の形態においては、各回路が、前記領域Ｒ１の範囲内に設けられているので、液晶テレビジョン受像機等の液晶表示ユニット１０を構成するために、前記液晶表示装置２０に、信号処理や電源処理のための回路を付け加えても、液晶表示ユニット１０の奥行き幅を抑制することができる。
【０１７７】
また、前記液晶表示装置２０にくらべ、液晶表示ユニット１０では、設けられる回路の数が増加するので、先に説明した通り、前記液晶表示ユニット１０に設けられた各回路からの発熱により、液晶表示パネルの画面３６内における温度分布の均一性を高めることがより容易になる。
【０１７８】
なお、前記信号処理回路７０及び電源回路７４の具体的な設置方法は、特に限定されるものではなく、例えば、前記図１２の（ｂ）に示すように、設置する回路の向きを適宜変更したりすることできる。
【０１７９】
なお、画面サイズを２６型とした場合において、前記信号処理回路７０は、例えば外部から供給される画像信号と、その同期信号を、コントローラー回路等の前記第１制御回路６０に入力する信号に変換する回路として構成されたとき、その大きさは、例えば約２３０ｍｍ×２１０ｍｍ×３０ｍｍｔとなる。
【０１８０】
また、同様に、前記電源回路７４は、前記各基板に電極を供給する回路として構成されたとき、その大きさは、例えば約１５０ｍｍ×１５０ｍｍ×４０ｍｍｔとなる。
【０１８１】
（筐体形状）
つぎに、液晶表示ユニット１０の横断面を示す図１３に基づいて、前記筐体１２の形状について説明する。
【０１８２】
すなわち、前記図１２の（ａ）及び図１２の（ｂ）では、液晶表示ユニット１０に備えられている筐体１２について、直方体形状の筐体１２を図示した。ここで、前記筐体１２の形状は、前記直方体形状に限定されず、例えば、前記図１３に示すように、液晶表示装置２０にそった形状とすることもできる。
【０１８３】
具体的には、前記筐体１２を、前記液晶表示素子３０の前面、すなわち液晶表示パネルの画面３６を鉛直方向と平行にした場合において、前記液晶表示装置２０の前面、裏面、及び、上面に沿った形状に形成することもできる。言い換えると、前記筐体１２は、前記画面３６と、光源ケース上面４６と、光源ケース底面４４に沿った形状に成型されている。
【０１８４】
なお、前記筐体１２を形成する材料は、特には限定されないが、例えば、樹脂等を用いることにより、所望の形状に前記筐体１２を成型することが容易になる。
【０１８５】
また、前記筐体１２を、前記図１３に示すように、液晶表示装置２０に沿った形状とすることで、いわゆるデッドスペースを少なくでき、省スペース化することができる。
【０１８６】
また、液晶表示ユニット１０の重心を低くすることができるので、液晶表示ユニット１０が設置された状態において、その安定性を増すことが容易になる。
【０１８７】
（スタンド）
つぎに、図１４の（ａ）、図１４の（ｂ）、及び、図１５に基づいて、スタンド１４が備えられた液晶表示ユニット１０について説明する。ここで、図１４の（ａ）及び図１５は液晶表示ユニット１０の横断面を示し、図１４の（ｂ）は液晶表示ユニット１０を背面から見た様子を示している。
【０１８８】
前記各図に示すように、液晶表示装置２０にスタンド１４を設けた場合には、前記回路を当該スタンド１４に配置することができる。
【０１８９】
先に説明した通り、信号処理回路７０や電源回路７４は、前記第１制御回路６０や第２制御回路６４よりも、その大きさが大きくなりやすく、前記光源ケース４２等に直接設置することが困難となる場合がある。
【０１９０】
この点、液晶表示ユニット１０にスタンド１４が備えられている場合には、当該スタンド１４に前記回路を設けることができるので、設計の自由度が増す。
【０１９１】
また、前記図１５に示すように、筐体１２が備えられた液晶表示ユニット１０に前記スタンド１４を備えることもできる。
【０１９２】
（光源交換）
つぎに、光源５０の交換を容易にすることが可能な構成について、図１６に基づいて説明する。図１６は、ライトユニット（ＬＵ）が取り外し可能な液晶表示ユニット１０の横断面を示す図である。
【０１９３】
図１６に示すように、液晶表示ユニット１０の背面において、筐体１２の一部（１２Ｓ）と、例えば光源ケース底部４３等の光源ケース４２の一部（４２Ｓ）と、光源５０とを、１個のユニットとして、取り外すことが可能なように構成すると、筐体（キャビネット）の裏ぶたを外すことで、容易に外部から光源５０を交換することが可能となる。
【０１９４】
（放熱）
つぎに、光源５０からの熱を外部に発散することが容易となる構成について、図１７に基づいて説明する。図１７は、筐体１２に放熱のための通気孔１２ｍが設けられた液晶表示ユニット１０の横断面を示す図である。
【０１９５】
図１７に示すように、前記筐体１２の、光源ケース底部４３近傍位置に、筐体１２内部の熱を、筐体１２外部に放熱するための穴である通気孔１２ｍを設けることができる。
【０１９６】
かかる構成では、例えば光源５０からの熱Ｈを、前記通気孔１２ｍを介して、外部に放熱することが容易になる。
【０１９７】
特には、光源５０がＬＥＤ（Ｌｉｇｈｔ  Ｅｍｉｔｔｉｎｇ  Ｄｉｏｄｅ：発光ダイオード）である場合には、筐体１２が前記光源５０と近接しやすくなるので、前記通気孔１２ｍを設けることで、かかる光源５０からの放熱が容易になる。
【０１９８】
なお、前記ライトユニットＬＵや、通気孔１２ｍは、前記筐体１２が、前記液晶表示装置２０、特には、光源ユニット４０の光源ケース４２に沿った形状である場合には、より容易かつ効果的に形成することが可能となる。
【０１９９】
本発明は前記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０２００】
消費電力の抑制が容易であり、かつ、奥行き幅が抑制された液晶表示装置及び液晶表示ユニットが実現できるため、低消費電力が求められる液晶テレビジョン受像機等に好適に利用可能である。
【符号の説明】
【０２０１】
１０    液晶表示ユニット
１２    筐体
１４    スタンド
２０    液晶表示装置
３０    液晶表示素子
３２    液晶表示素子前面
３６    画面
４０    光源ユニット
４２    光源ケース
４３    光源ケース底部
４４    光源ケース底面
４６    光源ケース上面
４８    光源ケース下面
５０    光源
５２    直管部分
５５    拡散板
５６    拡散シート
５７    反射シート
５８    アングル
６０    第１制御回路
６４    第２制御回路
７０    信号処理回路
７４    電源回路
Ｄ    画面の縦方向の幅
Ｗ    画面の横方向の幅
Ｌ    光源ケース底部の幅
Ｍ    光源ケースの内寸
Ｎ    光源の本数
【図１】
2010001657.tif 000003
【図２】
2010001657.tif 000004
【図３】
2010001657.tif 000005
【図４】
2010001657.tif 000006
【図５】
2010001657.tif 000007
【図６】
2010001657.tif 000008
【図７】
2010001657.tif 000009
【図８】
2010001657.tif 000010
【図９】
2010001657.tif 000011
【図１０】
2010001657.tif 000012
【図１１】
2010001657.tif 000013
【図１２】
2010001657.tif 000014
【図１３】
2010001657.tif 000015
【図１４】
2010001657.tif 000016
【図１５】
2010001657.tif 000017
【図１６】
2010001657.tif 000018
【図１７】
2010001657.tif 000019
【図１８】
2010001657.tif 000020
【図１９】
2010001657.tif 000021
【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
液晶表示パネルが設けられている液晶表示素子と、
光源が設けられ、前記液晶表示素子の背後に配置されることにより前記液晶表示パネルを背面から照射する光源ユニットとが備えられた液晶表示装置であって、
前記液晶表示素子を制御する回路、及び、前記光源ユニットを制御する回路のうちの少なくとも一方の回路が、前記液晶表示素子の前面を含む平面と、前記光源ユニットの底面を含む平面とによって画される領域内に設けられており、
前記光源ユニットには、直管部分を有する光源が備えられており、
前記液晶表示パネルの画面は、長方形状を有しており、
前記光源は、その直管部分の主たる方向が、前記画面の１辺である基準辺の伸長方向と揃うように設けられており、
前記画面の、前記基準辺の伸長方向と交差する方向である交差方向における幅をＤ１（ｍｍ）とし、
前記交差方向と前記光源の直管部分とが交わる数をＮ（本）とした場合、
Ｄ１／Ｎ（ｍｍ／本）が１２０以上であることを特徴とする液晶表示装置。
【請求項２】
前記基準辺が、前記画面の横辺であり、
前記交差方向における幅が、画面の縦方向長であることを特徴とする請求項１に記載の液晶表示装置。
【請求項３】
前記液晶表示パネルの画面は、長方形状を有しており、
前記光源ユニットには、直管部分を有する光源と、該光源が設けられる光源ケースとが備えられており、
前記光源は、前記光源ケースの底部に設けられており、
前記底部は、前記光源の直管部分の主たる方向に沿って、長方形状に、かつ平面状に形成されており、
前記底部の、前記直管部分の主たる方向と直交する方向における幅をＬ（ｍｍ）とし、
前記画面の、前記直管部分の主たる方向と直交する方向における幅をＤ２（ｍｍ）とした場合、
Ｄ２／Ｌが２．５以上、５．５以下であることを特徴とする請求項１又は２に記載の液晶表示装置。
【請求項４】
前記液晶表示素子を制御する回路、及び、前記光源ユニットを制御する回路のうちの少なくとも一方の回路の主たる部分が、
液晶表示素子の前記前面を鉛直方向と平行にした場合において、前記液晶表示素子の上端と、前記液晶表示素子の下端との間の領域内に設けられていることを特徴とする請求項１から３のいずれか１項に記載の液晶表示装置。
【請求項５】
液晶表示素子の前記前面を鉛直方向と平行にした場合において、前記液晶表示素子の下側には、前記液晶表示素子を支えるスタンドが設けられており、
前記液晶表示素子を制御する回路、及び、前記光源ユニットを制御する回路のうちの少なくとも一方の回路の主たる部分が、
前記液晶表示素子の上端と、前記スタンドの下端との間の領域内に設けられていることを特徴とする請求項１から３のいずれか１項に記載の液晶表示装置。
【請求項６】
前記液晶表示素子を制御する回路、及び、前記光源ユニットを制御する回路のうちの少なくとも一方の回路の主たる部分が、前記スタンドに設けられていることを特徴とする請求項５に記載の液晶表示装置。
【請求項７】
前記液晶表示素子を制御する回路、及び、前記光源ユニットを制御する回路のうちの少なくとも一方の回路が、
液晶表示素子の前記前面を鉛直方向と平行にした場合において、前記光源ユニットの下側領域に設けられていることを特徴とする請求項１から３のいずれか１項に記載の液晶表示装置。
【請求項８】
前記光源ユニットの下側領域に設けられている前記回路は、
前記光源ユニットに備えられている光源ケースに接するように設けられていることを特徴とする請求項７に記載の液晶表示装置。
【請求項９】
前記液晶表示素子を制御する回路が、タイミングコントローラーであることを特徴とする請求項１から８のいずれか１項に記載の液晶表示装置。
【請求項１０】
前記光源ユニットを制御する回路が、インバーター基板であることを特徴とする請求項１から９のいずれか１項に記載の液晶表示装置。
【請求項１１】
前記光源ユニットの下側領域に設けられている前記回路は、タイミングコントローラーであることを特徴とする請求項７又は８に記載の液晶表示装置。
【請求項１２】
前記光源が、熱陰極管であることを特徴とする請求項１から１１のいずれか１項に記載の液晶表示装置。
【請求項１３】
請求項１から１２のいずれか１項に記載の液晶表示装置と、
前記液晶表示素子を制御する回路に映像信号を伝送する信号処理回路と、
前記液晶表示素子を制御する回路、前記光源ユニットを制御する回路、及び、前記信号処理回路のうちの少なくとも１個の回路に電源を供給する電源回路とが備えられた液晶表示ユニットであって、
前記信号処理回路及び前記電源回路は、前記液晶表示素子の前面を含む平面と、前記光源ユニットの底面を含む平面とによって画される領域内であって、
前記液晶表示素子の前面を鉛直方向と平行にした場合において、前記光源ユニットの下側領域に設けられていることを特徴とする液晶表示ユニット。
【請求項１４】
前記液晶表示装置を覆う筐体が備えられており、
前記筐体は、前記液晶表示素子の前面を鉛直方向と平行にした場合において、前記液晶表示装置の前面、裏面、及び、上面に沿った形状に形成されていることを特徴とする請求項１３に記載の液晶表示ユニット。
【国際調査報告】
2010001657.tif 000022
2010001657.tif 000023
2010001657.tif 000024
2010001657.tif 000025
2010001657.tif 000026